(57)【要約】【課題】  本発明は、的確な商品明細を顧客が利用しやすい形態で発行することができ、顧客満足度を向上させることができる電子式キャッシュレジスタおよび商品明細発行方法を提供することを課題とする。【解決手段】  データ量算出部５は、商品明細データ生成部４によって生成された商品明細データのデータ量を算出し、データ分割部６は、データ量算出部５によって算出されたデータ量に基づいて２次元コードの数を算出し、商品明細データ生成部４によって生成された商品明細データを算出した数に分割し、分割した商品明細データを２次元コード生成データとして２次元コード生成部７にそれぞれ出力する。２次元コード生成部７は、データ分割部６から入力された２次元コード生成データに基づいて２次元コードを生成し、２次元コード印字部９によって、２次元コード生成部７で生成された２次元コードをレシートに印字する。【選択図】        図１
2005275517.tif 000002
【特許請求の範囲】
【請求項１】
顧客が購入した商品の商品明細を印字媒体に印字して発行する電子式キャッシュレジスタであって、
商品コードに対応して商品情報が記憶されている商品情報記憶手段と、
入力された前記商品コードに基づいて前記商品情報記憶手段から前記商品情報を取得して、顧客が購入した商品の商品明細データを生成する商品明細生成手段と、
該商品明細生成手段によって生成された前記商品明細データに基づいて２次元コードを生成する２次元コード生成手段と、
該２次元コード生成手段によって生成された前記２次元コードを印字媒体に印字する２次元コード印字手段とを具備することを特徴とする電子式キャッシュレジスタ。
【請求項２】
前記商品明細生成手段によって生成された前記商品明細データのデータ量を算出するデータ量算出手段と、
該データ量算出手段によって算出されたデータ量に応じて前記商品明細データを分割するデータ分割手段とを具備し、
前記２次元コード生成手段は、前記データ分割手段によって分割された前記商品明細データ毎に前記２次元コードを生成することを特徴とする請求項１記載の電子式キャッシュレジスタ。
【請求項３】
顧客が購入した商品の商品明細を印字媒体に印字して発行する商品明細発行方法であって、
商品コードに対応して商品情報を記憶しておき、
入力された前記商品コードに基づいて前記商品情報を取得して、顧客が購入した商品の商品明細データを生成し、
該生成した前記商品明細データに基づいて２次元コードを生成し、
該生成した前記２次元コードを印字媒体に印字することを特徴とする商品明細発行方法。
【発明の詳細な説明】
【技術分野】
【０００１】
本発明は、顧客が購入した商品の合計金額を算出する電子式キャッシュレジスタおよび商品明細発行方法に関し、特に顧客が購入した商品の商品明細を印字媒体に印字して発行する電子式キャッシュレジスタおよび商品明細発行方法に関する。
【背景技術】
【０００２】
スーパーマーケットやデパート等においては、顧客が購入した商品の合計金額の算出や顧客からの預かり金額に対する釣り銭等の計算等を行う電子式キャッシュレジスタが用いられており、電子式キャッシュレジスタからは、顧客が購入した商品の商品明細がレシートとして発行されるのが一般的である。
【０００３】
図４は、従来の電子式キャッシュレジスタによって発行されたレシート例を示す図である。
電子式キャッシュレジスタから発行されるレシート１０は、例えば図４に示すように、店名ロゴ、店舗名、電話番号等が印字される店舗情報領域１１と、日付、担当者名、商品コード、商品名、価格、合計金額等が印字される商品明細領域１２とからなる（例えば、特許文献１参照）。
【０００４】
しかしながら、従来技術では、商品明細がレシート１０として発行されることになるが、顧客が家計簿ソフトで商品明細を管理している場合には、レシート１０に印字されている商品明細を自宅のパソコン等に再入力するという煩雑な作業をしなければならないという問題点があった。
【０００５】
さらに、従来技術では、商品をＪＡＮコードで管理しており、商品に印字もしくは貼付されているＪＡＮコードを読み取る毎に、読み取ったＪＡＮコードに基づいて商品情報記憶部に記憶されている商品名および価格を取得し、金額を加算処理すると共に、商品名および価格をレシート１０に印字するように構成されているため、ＪＡＮコード読み取った順に商品が印字されるため、整理されていない商品明細が発行されていた。例えば「おつまみ単品３５０円、どれでも３つで１０００円」というセット割引商品を購入した場合には、レシート１０には、図４の商品明細領域１２に示すように、単品毎の価格が印字され、最後に割引金額が印字されてしまい、商品の価格が的確に反映されないため、家計簿ソフトとの対応が取りづらいという問題点があった。
【特許文献１】特開平９−８１８６３号公報
【発明の開示】
【発明が解決しようとする課題】
【０００６】
本発明は斯かる問題点を鑑みてなされたものであり、その目的とするところは、的確な商品明細を顧客が利用しやすい形態で発行することができ、顧客満足度を向上させることができる電子式キャッシュレジスタおよび商品明細発行方法を提供する点にある。
【課題を解決するための手段】
【０００７】
本発明は上記課題を解決すべく、以下に掲げる構成とした。
請求項１記載の発明の要旨は、顧客が購入した商品の商品明細を印字媒体に印字して発行する電子式キャッシュレジスタであって、商品コードに対応して商品情報が記憶されている商品情報記憶手段と、入力された前記商品コードに基づいて前記商品情報記憶手段から前記商品情報を取得して、顧客が購入した商品の商品明細データを生成する商品明細生成手段と、該商品明細生成手段によって生成された前記商品明細データに基づいて２次元コードを生成する２次元コード生成手段と、該２次元コード生成手段によって生成された前記２次元コードを印字媒体に印字する２次元コード印字手段とを具備することを特徴とする電子式キャッシュレジスタに存する。
また請求項２記載の発明の要旨は、前記商品明細生成手段によって生成された前記商品明細データのデータ量を算出するデータ量算出手段と、該データ量算出手段によって算出されたデータ量に応じて前記商品明細データを分割するデータ分割手段とを具備し、前記２次元コード生成手段は、前記データ分割手段によって分割された前記商品明細データ毎に前記２次元コードを生成することを特徴とする請求項１記載の電子式キャッシュレジスタに存する。
また請求項３記載の発明の要旨は、顧客が購入した商品の商品明細を印字媒体に印字して発行する商品明細発行方法であって、商品コードに対応して商品情報を記憶しておき、入力された前記商品コードに基づいて前記商品情報を取得して、顧客が購入した商品の商品明細データを生成し、該生成した前記商品明細データに基づいて２次元コードを生成し、該生成した前記２次元コードを印字媒体に印字することを特徴とする商品明細発行方法に存する。
【発明の効果】
【０００８】
本発明の電子式キャッシュレジスタおよび商品明細発行方法は、商品明細データを２次元コードとして印字するように構成することにより、顧客は、２次元コードをスキャンするだけで商品明細をデータとして取り込むことができ、商品明細を顧客が利用しやすい形態で発行することができ、顧客満足度を向上させることができるという効果を奏する。
【０００９】
さらに、本発明の電子式キャッシュレジスタおよび商品明細発行方法は、商品明細データのデータ量に応じて、複数個の２次元コードを印字するように構成することにより、商品明細データのデータ量を意識することなく、的確な商品明細を顧客に発行することができ、顧客満足度を向上させることができるという効果を奏する。
【発明を実施するための最良の形態】
【００１０】
以下、本発明の実施の形態を図面に基づいて詳細に説明する。
【００１１】
図１は、本発明に係る電子式キャッシュレジスタの実施の形態の構成を示すブロック図である。
【００１２】
本実施の形態の電子式キャッシュレジスタは、図１を参照すると、入力部１と、表示部２と、商品情報記憶部３と、商品明細データ生成部４と、データ量算出部５と、データ分割部６と、２次元コード生成部７と、レシート印字部８と、２次元コード印字部９とからなる。
【００１３】
入力部１は、商品コードであるＪＡＮコードや精算指示を入力する入力手段であり、商品に印字もしくは貼付されているＪＡＮコードを読み取るスキャナ、店員が操作してＪＡＮコードを入力するキーボード等からなる。
【００１４】
表示部２は、液晶ディスプレイ等の表示手段であり、入力部１から入力されたＪＡＮコードに対応する商品名、価格、合計金額等が確認のために表示される。
【００１５】
商品情報記憶部３は、ハードディスク等の記憶手段であり、商品コードであるＪＡＮコードに対応して商品名、価格等の商品情報が記憶されている。また、商品情報記憶部３には、セットで購入された場合に値引きとなるセット割引情報が記憶されている。セット割引情報としては、セット割引の対象となる商品のＪＡＮコードと、セットの個数および価格とからなる。
【００１６】
商品明細データ生成部４は、入力部１から入力されたＪＡＮコードに基づいて商品情報記憶部３から商品名、価格等の商品情報を取得し、顧客が購入した商品の商品明細データを生成する。
【００１７】
データ量算出部５は、商品明細データ生成部４によって生成された商品明細データのデータ量を算出する。
【００１８】
データ分割部６には、２次元コード生成部７で生成される２次元コードの１個あたりのデータ量が分割基準値として予め記憶されており、データ量算出部５によって算出されたデータ量を分割基準値で除算することによって２次元コードの数を算出し、商品明細データ生成部４によって生成された商品明細データを算出した数に分割し、分割した商品明細データを２次元コード生成データとして２次元コード生成部７にそれぞれ出力する。なお、商品明細データの分割に際してデータ分割部６は、商品単位で分割するように、すなわち、同一の商品については、同一の２次元コード生成データに含まれるように制御する。また、商品明細データの分割に際してデータ分割部６は、商品明細データの中にセット割引の対象となる商品が含まれている場合には、セット割引の対象となる商品が同一のデータ、すなわち同一の２次元コード生成データに含まれるように制御すると共に、例えば「おつまみ単品３５０円、どれでも３つで１０００円」というセット割引商品を購入した場合には、「おつまみ３点（いか、ピーナツ、煎餅）１０００」というようにセット割引商品をまとめる。
【００１９】
２次元コード生成部７は、データ分割部６から入力された２次元コード生成データに基づいてＱＲコード等の２次元コードを生成する。
【００２０】
レシート印字部８は、商品明細データ生成部４によって生成された商品明細データをレシート１０に印字する印字手段であり、例えば、巻き回されたレシート１０が装着される供給リールと、レシート１０を搬送するプラテンローラと、プラテンローラとの間にレシート１０を挟持して印字を行うサーマルヘッドとで構成されたプリンタである。
【００２１】
２次元コード印字部９は、２次元コード生成部７によって生成された２次元コードをレシート１０に印字する印字手段であり、例えば、巻き回されたレシートが装着される供給リールと、レシート１０を搬送するプラテンローラと、プラテンローラとの間にレシート１０を挟持して印字を行うサーマルヘッドとで構成されたプリンタである。なお、２次元コード印字部９は、レシート印字部８と共用するようにしても良い。
【００２２】
次に、本実施の形態の動作について図２および図３を参照して詳細に説明する。
図２は、本発明に係る電子式キャッシュレジスタの実施の形態の動作を説明するためのフローチャートであり、図３は、本発明に係る電子式キャッシュレジスタの実施の形態によって発行されたレシート例を示す図である。
【００２３】
顧客が購入する商品のＪＡＮコードが入力部１から入力されると（ステップＡ１）、商品明細データ生成部４は、入力部１から入力されたＪＡＮコードに基づいて商品情報記憶部３から商品名、価格等の商品情報を取得し（ステップＡ２）、顧客が購入した商品の商品明細データを生成する（ステップＡ３）。
【００２４】
次に、入力部１から新たなＪＡＮコードが入力されたか否か（ステップＡ４）、入力部１から精算指示が入力されたか否か（ステップＡ５）を判断し、ステップＡ４で新たなＪＡＮコードが入力された場合には、ステップＡ１に戻る。
【００２５】
ステップＡ５で精算指示が入力された場合には、データ量算出部５は、商品明細データ生成部４によって生成された商品明細データのデータ量を算出する（ステップＡ６）。
【００２６】
次に、データ分割部６は、データ量算出部５によって算出されたデータ量を分割基準値で除算することによって生成する２次元コードの数を算出し（ステップＡ７）、決定した数に商品明細データ生成部４によって生成された商品明細データを分割し（ステップＡ８）、分割した商品明細データを２次元コード生成データとして２次元コード生成部７にそれぞれ出力する。
【００２７】
次に、２次元コード生成部７は、データ分割部６から入力された２次元コード生成データに基づいて２次元コードを生成し（ステップＡ９）、レシート印字部８によって、商品明細データ生成部４で生成された商品明細データをレシート１０に印字すると共に、２次元コード印字部９によって、２次元コード生成部７で生成された２次元コードをレシート１０に印字する（ステップＡ１０）。
【００２８】
ステップＡ１０で印字されたレシート１０は、図３に示すように、店舗情報が印字された店舗情報領域１１と、商品明細データが印字された商品明細領域１２と、２次元コード生成部７で生成された２次元コードが印字された２次元コード領域１３とからなり、顧客は、持ち帰ったレシート１０の２次元コード領域１３に印字されている２次元コードを携帯電話等のスキャナで読み取り、商品明細をデータとして家計簿ソフトに取り込ませることができる。なお、図３には、データ分割部６によって、商品明細データ生成部４で生成された商品明細データが２つに分割され、２個の２次元コードが印字されている例が示されている。
【００２９】
以上説明したように、本実施の形態によれば、商品明細データ生成部４によって生成された商品明細データを、２次元コード生成部７によって２次元コード化して印字するように構成することにより、顧客は、２次元コードをスキャンするだけで商品明細をデータとして取り込むことができ、商品明細を顧客が利用しやすい形態で発行することができ、顧客満足度を向上させることができるという効果を奏する。
【００３０】
さらに、本実施の形態によれば、商品明細データのデータ量に応じて、データ分割部６が商品明細データを分割し、分割した商品明細データ毎に２次元コードを印字するように構成することにより、商品明細データのデータ量を意識することなく、的確な商品明細を顧客に発行することができ、顧客満足度を向上させることができるという効果を奏する。
【００３１】
なお、本実施の形態では、２次元コード生成部７によって生成された２次元コードをレシートに印字するように構成したが、シール等の他の印字媒体に印字するようにしても良い。また、２次元コード生成部７によって生成された２次元コードの印字の有無を選択できるキー等を設け、２次元コードを選択的に印字するようにしても良い。
【００３２】
また、本実施の形態では、商品明細データ生成部４で、レシート１０に印字する生成されるデータ量が少ない簡易商品明細データと、２次元コードを生成するデータ量が多い詳細商品明細データとをそれぞれ生成すると良い。すなわち、レシート１０は、その印字面積の関係から印字できる１商品当たりの文字数に制限があるが、２次元コードは、大容量であると共に、本実施の形態では、データ量に応じて複数個の２次元コードを印字するように構成しているため、詳細な内容を含めることが可能となる。
【００３３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３４】
【図１】本発明に係る電子式キャッシュレジスタの実施の形態の構成を示すブロック図である。
【図２】本発明に係る電子式キャッシュレジスタの実施の形態の動作を説明するためのフローチャートである。
【図３】本発明に係る電子式キャッシュレジスタの実施の形態によって発行されたレシート例を示す図である。
【図４】従来の電子式キャッシュレジスタによって発行されたレシート例を示す図である。
【符号の説明】
【００３５】
１  入力部
２  表示部
３  商品情報記憶部
４  商品明細データ生成部
５  データ量算出部
６  データ分割部
７  ２次元コード生成部
８  レシート印字部
９  ２次元コード印字部
１０  レシート
１１  店舗情報領域
１２  商品明細領域
１３  ２次元コード領域
【図１】
2005275517.tif 000003
【図２】
2005275517.tif 000004
【図３】
2005275517.tif 000005
【図４】
2005275517.tif 000006